(57)【要約】【課題】上部を覆うカバー構造などの追加構造を設けることなく暗証符号の覗き見を防止できる暗証符号入力装置を提供することにある。【解決手段】電気装置100に適用され、操作者が要求する前記電気装置の処理を、予め設定した暗証符号と合致する符号の入力があったときにだけ許可する暗証符号入力装置１であって、前記符号を表示すると共に操作者による暗証符号の入力を行うための領域として形成してある表示入力部２と、前記表示入力部２の周部に、操作者の少なくとも１本の指を置くように設けた指置き部３とを有しており、前記指置き部３に置いた指以外の指で、前記表示入力部２へ前記暗証符号の入力を行うようにしてある。【選択図】図１
2014232500.tif 000002
【特許請求の範囲】
【請求項１】
電気装置に適用され、操作者が要求する前記電気装置の処理を、予め設定した暗証符号と合致する符号の入力があったときにだけ許可する暗証符号入力装置であって、
前記符号を表示すると共に操作者による暗証符号の入力を行うための領域として形成してある表示入力部と、
前記表示入力部の周部に、操作者の少なくとも１本の指を置くように設けた指置き部とを有しており、
前記指置き部に置いた指以外の指で、前記表示入力部へ前記暗証符号の入力を行うようにしてある、ことを特徴とする暗証符号入力装置。
【請求項２】
前記指置き部は複数の指を置くように設計してあると共に、操作者が当該指置き部に複数の指を置いたときには、操作者の手の平が前記表示入力部の上方に位置するように、前記指置き部と前記表示入力部との位置が設定してある、ことを特徴とする請求項１に記載の暗証符号入力装置。
【請求項３】
前記指置き部は指の有無を検出するセンサを含むと共に、前記センサの出力に基づいて前記表示入力部の表示の制御および前記暗証符号の入力の制御をする制御部を備える、ことを特徴とする請求項１又は２に記載の暗証符号入力装置。
【請求項４】
前記センサが指を検出しているときだけ、前記制御部が前記表示入力部上に入力用の前記符号を表示する、ことを特徴とする請求項３に記載の暗証符号入力装置。
【請求項５】
前記指置き部は複数の指を置くように設計してあると共にそれぞれに指の有無を検出するセンサを含み、前記センサの出力に基づいて前記表示入力部の表示の制御および前記暗証符号の入力の制御をする制御部を備えており、
前記制御部は１つのセンサ毎に対応する領域にある前記符号の表示を行い、前記指置き部に全ての指が置かれたときに前記表示入力部に入力用の前記符号を全て表示する、ことを特徴とする請求項１又は２に記載の暗証符号入力装置。
【請求項６】
前記制御部は、前記表示入力部に表示する前記符号の配列を変更する、ことを特徴とする請求項３から５のいずれかに記載の暗証符号入力装置。
【請求項７】
前記指置き部は右利き用と左利き用として、左右それぞれが前記表示入力部の周部に配置してある、ことを特徴とする請求項１から６のいずれかに記載の暗証符号入力装置。
【請求項８】
前記指置き部は、前記表示入力部の外周部に回動可能に配置され、右利きと左利きとに対応可能に形成してある、ことを特徴とする請求項１から６のいずれかに記載の暗証符号入力装置。
【請求項９】
前記指置き部は、印刷による指置きマークであり、前記指置きマークの傍に前記指置きマークに指を置いてから入力することを勧める記載が設けてある。請求項１又は２に記載の暗証符号入力装置。
【発明の詳細な説明】
【技術分野】
【０００１】
本発明は、従来から現金自動預入支払機（ＡＴＭ）などで広く採用されている暗証符号入力装置に関する。より詳細には、現金の払出しや預け入れの際、またクレジットカードによる支払の際などに暗証符号を入力する暗証符号入力装置に関する。
なお、この種の入力装置は０から９の番号を用いるものが多いため、一般には暗証番号入力装置と称される場合が多い。しかし、アルファベットや平仮名等の文字も同様に用いることができるので、本明細書では番号、アルファベット、平仮名等を含むものを符号とし、これを暗証に用いる入力装置を暗証符号入力装置と称している。
【背景技術】
【０００２】
銀行やコンビニエンスストアに設置されているＡＴＭなどの装置は、暗証符号を入力しているときに、周囲にいる人から覗き見されないように手元を隠すため側壁を設置したものなどがある。しかし、側壁を設けても背後から覗き見されるおそれがあり、更に特殊な器具をＡＴＭに取付けて暗証符号を盗み取ってから行う犯罪も多く発生している。
そのため、覗き見を防止する技術に係る提案が多くなされている。例えば特許文献１は、暗証符号入力装置の前面上部に遮光フィルタ部を配置し、前面下部には指を挿入できるだけの開口部を形成し、操作者が符号入力するときに指を入れる開口だけを残し他の部分は囲むことでより確実に覗き見されないような改善を施している。
【先行技術文献】
【特許文献】
【０００３】
【特許文献１】特開２０１２−１６８９２４号公報
【発明の概要】
【発明が解決しようとする課題】
【０００４】
しかしながら、特許文献１による技術は、暗証符号入力装置の上面を覆うカバー構造を追加的に設けるので突出した構造となる。さらに、そのカバー構造を介してディスプレイ上に表示された符号を見るので見難いものとなってしまう。
そして、近年にあって、上記のような暗証符号入力装置は色々な機器、設備に採用されるようになってきており、ＡＴＭの場合は上記カバー構造が採用可能であったが、このようなカバー構造を採用できないか、あるいは、カバー構造が不適切となる機器や設備もある。
例えば暗証符号入力装置はコインロッカー、自動販売機などにも採用されるようになっており、更には住宅の玄関ドアに設置した電子錠の開錠にも採用されるようになっている。これらの場合、暗証符号入力装置は地面から垂直に立ち上っている前扉に設置されることが多い。更に、これらの場合、屋内に設置されるＡＴＭなどとは違って、暗証符号入力装置の入力部分が外界に向かって露出しており、不特定の人から盗み見さ易い状態となっている。
しかし、その一方で、コインロッカー、自動販売機などに暗証符号入力装置にカバー構造を追加することは安易でない。路上に設置してある自動販売機の場合、突出したカバー構造が通行人に当る虞があり、更には道路交通法では道路へのはみ出しが禁止されているので法令違反にも配慮が必要である。
【０００５】
よって、本発明の目的は、上部を覆うカバー構造などの追加構造を設けることなく、暗証符号の覗き見を防止することができる暗証符号入力装置を提供することにある。
【課題を解決するための手段】
【０００６】
上記目的は、電気装置に適用され、操作者が要求する前記電気装置の処理を、予め設定した暗証符号と合致する符号の入力があったときにだけ許可する暗証符号入力装置であって、前記符号を表示すると共に操作者による暗証符号の入力を行うための領域として形成してある表示入力部と、前記表示入力部の周部に、操作者の少なくとも１本の指を置くように設けた指置き部とを有しており、前記指置き部に置いた指以外の指で、前記表示入力部へ前記暗証符号の入力を行うようにしてある、ことを特徴とする暗証符号入力装置により達成される。
【０００７】
そして、前記指置き部は複数の指を置くように設計してあると共に、操作者が当該指置き部に複数の指を置いたときには、操作者の手の平が前記表示入力部の上方に位置するように、前記指置き部と前記表示入力部との位置が設定してあるのが好ましい。
【０００８】
また、前記指置き部は指の有無を検出するセンサを含むと共に、前記センサの出力に基づいて前記表示入力部の表示の制御および前記暗証符号の入力の制御をする制御部を備えることができる。
【０００９】
前記センサが指を検出しているときだけ、前記制御部が前記表示入力部上に入力用の前記符号を表示するようにするのが好ましい。
【００１０】
また、前記指置き部は複数の指を置くように設計してあると共にそれぞれに指の有無を検出するセンサを含み、前記センサの出力に基づいて前記表示入力部の表示の制御および前記暗証符号の入力の制御をする制御部を備えており、前記制御部は１つのセンサ毎に対応する領域にある前記符号の表示を行い、前記指置き部に全ての指が置かれたときに前記表示入力部に入力用の前記符号を全て表示するようにしてもよい。
【００１１】
また、前記制御部は、前記表示入力部に表示する前記符号の配列を変更するように設定しておくのがより好ましい
【００１２】
そして、前記指置き部は右利き用と左利き用として、左右それぞれが前記表示入力部の周部に配置しておくのが好ましい。
また、前記指置き部は、前記表示入力部の外周部に回動可能に配置され、右利きと左利きとに対応可能に形成してもよい。
【００１３】
更に、前記指置き部は、印刷による指置きマークであり、前記指置きマークの傍に前記指置きマークに指を置いてから入力することを勧める記載を設けた構成としてもよい。
【発明の効果】
【００１４】
本発明によると、上部を覆うカバー構造などの追加構造を設けることなく、暗証符号の覗き見を確実に防止することができる暗証符号入力装置を提供できる。
【図面の簡単な説明】
【００１５】
【図１】本発明に係る暗証符号入力装置の好適な一形態を説明するために示したブロック構成図である。
【図２】暗証符号入力装置の正面図である。
【図３】（ａ）〜（ｃ）は、図２の暗証符号入力装置により符号を入力する際の様子を順に示した模式的図である。
【図４】暗証符号入力装置の改善例を示した図である。
【図５】暗証符号入力装置の他の改善例を示した図である。
【発明を実施するための形態】
【００１６】
以下、図面を参照して、本発明の実施形態を説明する。
図１は、本発明に係る暗証符号入力装置の好適な一形態を説明するために示したブロック構成図である。この暗証符号入力装置１は、暗証用の符号を表示すると共に、暗証符号の入力を行うための領域として形成してある表示入力部２、及び操作者の少なくとも１本の指を置くように設けた指置き部３とを備えている。上記表示入力部２は符号表示をすると、同時に操作者がその符号に触れることによって、入力操作を行うことができる構成部であれば特に限定はない。例えば、従来のＡＴＭ等で採用しているタッチパネル装置と同様に、液晶等により形成したディスプレイ画面上に透明なポインディングデバイス（マトリクス・スイッチ式、抵抗膜式、表面弾性波方式、赤外線方式、静電容量方式などによる）を配備しておき、操作者の指が画面上に接触したときにこれを電気的検出するようにしてある構成などを好適に採用できる。
本暗証符号入力装置１の表示入力部２にあっては、操作する人の手の平が上部に位置して、その手の平で表示部を覆うことができる程度の大きさの領域（平面的な大きさ）とするのが好ましい。
そして、指置き部３は表示入力部２の周部に配置されて、操作者が指置き部３に置いた指以外の指で、表示入力部２へ暗証符号の入力を行うように設計してある。表示入力部２や指置き部３の好ましい形態や符号入力の様子については、後に詳述する。
【００１７】
本発明の暗証符号入力装置１は、既存の電気装置１００に適用されて操作者が要求する電気装置１００の処理を許可するか否かの判断に寄与する装置として有効に機能する。本暗証符号入力装置１が適用される電気装置１００には、暗証符号を確認してから処理が許可される種々の装置を含めることができる。例えば、前述した銀行やコンビニエンスストアに配置されるＡＴＭ、デパートや飲食店でクレジットカードを使った際に暗証符号を送信する装置、更にコインロッカー、自動販売機、住宅の扉やガレージなどに設置された電子開錠装置などを、電気装置１００と想定することができる。
【００１８】
図１では、暗証符号入力装置１に係る構成の好適なブロック構成を示しており、表示入力部２および指置き部３は、制御部４によって表示入力部の表示の制御および暗証符号の入力の制御されている。例えば指置き部３は、指の有無を検出するセンサ３ａを含んだ構成としておき、このセンサ３ａの出力に基づいて制御部４が、表示入力部２の制御を実行する。
【００１９】
そして、例えば、制御部４はセンサ３ａが指を検出しているときだけ、制御部４が表示入力部２に入力用の符号を表示するようにしてもよい。このように構成すれば、必要なときにだけ表示入力部２を表示させる省エネ対応の装置とすることができる。また、制御部４が表示入力部２に表示する符号の配列を変更するのが、より好ましい。このようにしておけば、入力操作の度に、符号の位置が変更するので指の移動位置で符号を推測するという不正行為にも対処できる。
なお、上記制御部４はＣＰＵを中心に構成したコントローラとして構成することができ、メモリ５が接続する。メモリ５には、表示入力部２および指置き部３を駆動するためのプログラムや表示入力部２に表示する符号に関するデータなどが格納される。
図１の暗証符号入力装置１は、インターフェース１０１を介して外部の電気装置１００に接続されている。暗証符号入力装置１で予め設定した暗証符号と合致する符号の入力があったときにだけ、操作者が要求する電気装置１００の処理が許可される。なお、図１の制御部４やメモリ５については、電気装置１００側のマイコン等によってこれらを実現する構成も採用可能である。
【００２０】
更に、他の図を参照して、本発明の暗証符号入力装置１をより具体的に説明する。ここで説明する具体例は、複数の指を置くように設定した指置き部を採用した場合である。なお、図１と同じ構成部位については、同じ符号を用いている。
図２は、暗証符号入力装置１の正面図である。中央の円形の領域が表示入力部２であり、この表示入力部２の右側上方の周部に沿って指置き部３が設けてある。この指置き部３には、３個（複数）の指置きマーク３１、３２、３３が設けあり、マークそれぞれに指を検出するセンサ３ａ（図２では図示せず、図１参照）が配備してある。
そして、図２のように、表示入力部２の近傍（ここでは、上部）に「マークの全てに指を置いて下さい。数字がすべて現われましたら、暗証符号の入力を行ってください。」などの説明文を付すことで、指置き部３に指を置かなければ入力できないことを明示しておくのが好ましい。
なお、図２は、表示入力部２の外に説明文を提示する場合を示すが、表示入力部２のディスプレイ機能を活用して説明文を提示するようにしても勿論よい。
【００２１】
図３は、図２に示した暗証符号入力装置１により、符号を入力する際の様子を（ａ）から（ｃ）で順に示した模式的図である。なお、図３では図示しないが、図１に示した制御部４により表示入力部２及び指置き部３が全体として制御されている。
先ず、制御部４は表示入力部２内に「指を置いてください」などの動作誘導案内文を表示させる。
図３（ａ）は、操作者が右手の指の１本目を指置き部３の３つの内の第１マーク３１に置いた時の様子である。このとき、制御部４は第１マーク３１に対応する符号（ここでは、１、２、３）を示して、更に他の指を置くように動作誘導案内文を表示する。
図３（ｂ）は、操作者が右手の指の２本目を第２マーク３２に置いた時の様子である。このときにも、制御部４は第１マーク３１、第２マーク３２に対応する符号（ここでは、１〜６）を示して、更に他の指を置くように動作誘導案内文を表示する。
【００２２】
そして、図３（ｃ）操作者が右手の指の３本目を第３マーク３３に置いた時の様子である。このときに初めて暗証符号の全て（０〜９）が表示され、これにより入力操作が可能となる。
図３（ａ）から（ｃ）に示した操作者による動作により、指置き部３に設定した３個のマーク３１〜３３のそれぞれに指を置くことで、操作者の手の平が表示入力部２の上方を全体的に覆うような状態となり、この状態で符号の入力をするので、覗き見防止の壁などの追加構造などを設けなくても覗き見を確実に抑制できる。
なお、図３（ｃ）は、本説明のため、表示入力部２上の符号が見えるように示しているが、マーク３１〜３３の配置位置やマーク間隔を適宜に調整して、操作者の手の平が表示入力部２の上方に位置して、周辺から覗いても符号が見難い状態とするのが好ましい。
【００２３】
以上説明した本発明の暗証符号入力装置１が適用されている電気装置（例えば、ＡＴＭ）であれば、操作者が要求する電気装置の処理（例えば、現金の引き出し）のため、暗証符号を入力するときに、外部からの覗き見を確実に防止しながら操作を行える。
特に、図３で例示している場合のように３本（複数）の指全てが指置きマークに置かれないと入力ができない様にすることで、表示入力部２の上部を広げた手の平で覆う状態としながら、入力するのでより確実に覗き見を防止できる。
そして、前述したように、表示入力部２に表示する符号の配列を毎回、或いは定期的に変更することで、指の位置によって選択した符号を予測しようとする不正行為がある場合にも対処できる。
ところで、従来装置における符号入力操作では、操作者が入力動作をするときに特に、覗き見に注意を喚起するものではなかったので、無防備なユーザの場合にあっては背後などから暗証符号を覗かれる虞があった。しかし、本発明の暗証符号入力装置１を採用した場合、指置き部３に指を置くことが求められる。このような動作要求により、間接的に操作者へ注意喚起がされることにもなる。よって、操作者が従来よりも周囲に注意を払うようになるという、副次的な効果も期待できる。
【００２４】
更に、他の図を参照して、より好ましい暗証符号入力装置を提案する。図２、図３で示した例は、右手で入力をするのに好ましい形態であり、このままでは左利きのユーザが操作するには若干、不便となる。
図４は、表示入力部２の外周部にリング状部材２１を回動可能に配備して、このリング状部材２１で指置き部３を支持する構造としてある。図４は、右利き用に右側にあったものを、左側に回転させ左利き用としたときの様子を示している。
また、図５は、上記の指置き部３を、右利き用３Ｒと左利き用３Ｌとして、表示入力部２の周部左右それぞれに配置した場合である。
【００２５】
図４、図５で例示したように様に、指置き部３を形成しておけば、左右どちら利きの操作者にも対応をして、前述した一連の動作を円滑に行えるようになる。
【００２６】
以上で説明したように、本発明の暗証符号入力装置によれば、重要な暗証符号が覗き見されるのを確実に予防しながら入力を行える。本発明の暗証符号入力装置は、言わば操作者自身の手を障壁として活用するもので、従来のように突出して邪魔な構造を必要としないから、屋内、屋外に設置する機器、設備の区別なく種々の電気装置に採用できる。
【００２７】
上記実施例では、指置き部３に指を置いたときには、操作者の手の平が前記表示入力部の上方に位置するように３個のマークを設けた例を示したが、必ずしも複数とする必要はない。マークを１個とし、指を１個置くだけとしても、手で表示入力部上を覆い隠す効果があるので従来と比較して覗き見の防止を期待できる。
図２から図５に示した実施例の暗証符号入力装置は、一形態例として表示入力部２が手の平サイズにコンパクトに形成してあり、色々な電気装置に採用可能である。しかし、既存の装置を改良して本発明を実現することも可能である。例えば、一般のＡＴＭはＡ４用紙サイズと同等サイズのタッチパネル装置（表示入力部）が採用され、この画面で入力するので周辺から覗き見をされ易い。そこで、暗証番号の入力を求めた際に、表示を切換えて、例えばタッチパネル装置内に図５に示すものを表示して、符号入力の操作を可能とする。このようにすれば前述した本発明の実施例と同様の効果を期待できる。このような変更は、ＡＴＭのディスプレイ表示を制御するソフトウエアを変更することで比較的簡単に実現できる。
【００２８】
また、上記実施例では、表示入力部２として、符号を表示してこれに指で触れることが入力できるタッチパネルなどの表示デバイスを想定して説明をしたが、これに限る必要はない。表示入力部２における構成は、操作者が符号を視覚的に認識でき、これを指で入力できればよい。よって、例えば直径５ｍｍ〜１０ｍｍ程度の複数のプッシュ式ボタンを配列し、その頭部に符号を刻印しておき、これにより符号をプッシュ入力するようにしてもよい。このような形態であっても、前述したと同様の指置き部を配置しておけば、覗き見を抑制しながら入力操作を行える。よって、このようにプッシュで表示入力部２を形成した場合の形態も本発明に含まれる。
更には、前述の実施例では指置き部３にセンサ３ａを配備して指を電気的に検出する構成を示したがこれに限らない。例えば、指置き部３は、印刷で形成した単なる指置きマークとし、その指置きマークの傍に指置きマークに指を置いてから入力することを勧める動作誘導案内文を付した極シンプルな構成としてもよい。すなわち、指置き部と表示入力部２とを電気的にリンクするのでなく、単に指を置きながら入力操作することを促すものとしてもよい。このよう構成であれば極めて簡単に実施できる。そして、このような形態であっても、前述したと同様に覗き見を抑制できる。よって、この形態も本発明に含まれる。
【符号の説明】
【００２９】
１                          暗証符号入力装置
２                          表示入力部
３                          指置き部
３ａ                        センサ
３１、３２、３３            指置きマーク
４                          制御部
５                          メモリ
１００                      電気装置
１０１                      インターフェース
【図１】
2014232500.tif 000003
【図２】
2014232500.tif 000004
【図３】
2014232500.tif 000005
【図４】
2014232500.tif 000006
【図５】
2014232500.tif 000007